(57)【要約】      （修正有）【課題】模擬銃において、その調整部により、実銃のイメージが損なわれないように、弾丸の弾道を調整可能にする調整部を設ける。【解決手段】発射する弾丸を配置する装弾部と、上記弾丸に接触して回転を与えるホップ機構とを備えた模擬銃におけるホップ装置について、ホップ機構部３３として、発射される弾丸の弾道を調整可能にする調整部を有するとともに、その調整部は銃本体に形成された開口部２５に近接して設けられており、上記調整部は、開口部に露出しない非調整位置Ｐ１と、一部が開口部に露出する調整位置との間にて移動可能に銃本体の内部に組み込まれており、弾丸発射操作のために銃本体に設けられたトリガー２３の動作と連動して、上記調整部２８を非調整位置Ｐ１と調整位置との間で移動可能とするための調整部移動機構を具備する。【選択図】図１
2014077586.tif 000002
【特許請求の範囲】
【請求項１】
発射する弾丸を配置する装弾部と、上記弾丸に接触して回転を与えるホップ機構とを備えた模擬銃におけるホップ装置であって、
ホップ機構部として発射される弾丸の弾道を調整可能にする調整部を有するとともに、その調整部は銃本体に形成された開口部に近接して設けられており、
上記調整部は、開口部に露出しない非調整位置と、一部が開口部に露出する調整位置との間にて移動可能に銃本体の内部に組み込まれており、
弾丸発射操作のために銃本体に設けられたトリガーの動作と連動し、上記調整部を非調整位置と調整位置との間で移動可能とするための調整部移動機構を具備した
模擬銃におけるホップ装置。
【請求項２】
銃本体に形成された開口部は、弾丸の発射方向と平行かつ後方に位置しており、ホップ機構部の調整部は、銃本体に形成された開口部よりも前方に位置する非調整位置に配置されており、トリガーの動作に連動したときに開口部にかかる調整位置へ移動可能に構成されている請求項１記載の模擬銃におけるホップ装置。
【請求項３】
ホップ機構部は、弾丸に接触するとともに、弾力性を有する素材によって形成されたホップ用突部と、上記ホップ用突部に直接又は間接に作用するために、弾丸に対する接触圧力を増大する方向へ移動可能に設けられた調整量伝達部と、調整部と連繋して上記調整量伝達部の移動量を変化させるカム部とから構成されている
請求項１記載の模擬銃におけるホップ装置。
【請求項４】
ホップ機構部側にストッパーを支軸により揺動可能に取り付け、銃本体側にホップ機構部の後方への移動時に係合する後部突起を配置するとともに、前方への復帰移動時に係合する前方突起を配置し、上記後部突起はピストン側可動体がその上位を前後移動する位置にあり、上記ピストン側可動体に形成された凹部と揺動したストッパーの一部とが係合し、それ以上の後方移動を停止させることで、指の挟み込みを防止するように構成されている
請求項１記載の模擬銃におけるホップ装置。
【発明の詳細な説明】
【技術分野】
【０００１】
本発明は、発射する弾丸を配置する装弾部と、上記弾丸に接触して回転を与えるホップ機構とを備えた模擬銃におけるホップ装置に関するもので、特に、ホップ機構に近接した位置に開口部を有する模擬銃に適合したホップ装置に関するものである。
【背景技術】
【０００２】
ＢＢ弾と称される球形弾を使用し、圧縮ガスをエネルギー源とするいわゆるガスガンや電動ピストンにより発生させた圧縮エアをエネルギー源とするいわゆる電動ガン等の模擬銃には、その弾道を修正ないしは調整する装置を組み込んだ製品がある。これは、弾丸に回転を与えて放物線状の弾道を直線状の弾道に修正することにより、直進距離を延長する等の目的で出願人会社が開発したもので（特開平６−３０９１号）、弾丸に主として上向きの力が働くように回転を与えるもので、ホップアップ機構などと称されている。この技術は脚光を浴び、当社以外の製品にも搭載されるほどになっており、また、改良技術も提案されている（実用新案登録第３０５１９２６号、特開平９−４２８９２号）。
【０００３】
模擬銃は、何れにしても武器である実銃をモデルとしたことに意義があり、従って、実銃のイメージの通りに再現された外観を備えていることが要求される。例えば、薬莢の排出口は模擬銃では必要とされていないが、そうであるからといってこれを無くしたものは模擬銃ではなく、単なる玩具銃に等しいことになるからである。これに対して、例えば、Ｈ＆Ｋ・ＭＰ７というドイツのヘッケラー・ウント・コッホ社製の短機関銃は、銃本体の側面に開口部があるが、これは排莢口であるので発射準備を完了した状態では内部は単なる空間でなければならない。上記位置はバレルの後方に当たり、ホップアップ機構を装備した場合、その位置は調整部を配置するのに適当な位置である。
【０００４】
しかし、上記の開口部にホップアップ機構の調整部を配置したのでは、何も見えない筈の開口部に上記の調整部が見えることになり、実銃のイメージを損なうことになる。これに対し、調整部となる部材を銃本体外部に追加するような対策では、イメージを損なう結果となるからその方法を取ることもできない。従って、上記ホップアップ機構に近い開口部付近に調整部を設けるのが最適であると考えられるが、これに対して、参考になる提案を前記背景技術等に見出すことができず、従来にない対策を講じることが必要になる。なお、上記のホップアップ機構は、弾丸に回転を与えて弾道を修正するものであるが、本発明で単にホップ機構ないしホップ装置と呼ぶこととした。
【０００５】
【特許文献１】特開平６−３０９１号
【特許文献２】実用新案登録第３０５１９２６号
【特許文献３】特開平９−４２８９２号
【発明の開示】
【発明が解決しようとする課題】
【０００６】
本発明は前記の実情に鑑みてなされたもので、その課題は、模擬銃に組み込まれ、発射される弾丸の弾道を調整可能にする調整部を有する模擬銃において、その調整部により、実銃のイメージが損なわれないようにすることである。また、本発明の他の課題は、安全に調整操作を行うことが可能な模擬銃におけるホップ装置を提供することである。
【課題を解決するための手段】
【０００７】
前記の課題を解決するため、本発明は、発射する弾丸を配置する装弾部と、上記弾丸に接触して回転を与えるホップ機構とを備えた模擬銃におけるホップ装置について、ホップ機構部として発射される弾丸の弾道を調整可能にする調整部を有するとともに、その調整部は銃本体に形成された開口部に近接して設けられており、上記調整部は、開口部に露出しない非調整位置と、一部が開口部に露出する調整位置との間にて移動可能に銃本体の内部に組み込まれており、弾丸発射操作のために銃本体に設けられたトリガーの動作と連動し、上記調整部を非調整位置と調整位置との間で移動可能とするための調整部移動機構を具備して構成するという手段を講じたものである。
【０００８】
本発明は、発射する弾丸を配置する装弾部と、上記弾丸に接触して回転を与えるホップ機構部とを備えた模擬銃を対象とする。ホップ機構部の主要な目的は、弾丸に上向きの力が働くように回転を与え直進距離を延長することにあり、従って、基本的な構想は従来のものとほぼ共通すると考えて良い。
【０００９】
上記のホップ機構部は、発射される弾丸の弾道を調整可能にする調整部を有するとともに、その調整部は銃本体に形成された開口部に近接して設けられており、上記調整部は、開口部に露出しない非調整位置と、一部が開口部に露出する調整位置との間にて移動可能に銃本体の内部に組み込まれている。調整部は、弾丸に接触して回転を与える態様を調整することが目的であり、上記態様としては接触圧力、接触面積、接触面の形状等があり、本発明では上記のどの態様も調整可能である。
【００１０】
上記のようなホップ機構部において、本発明の装置は、弾丸発射操作のために銃本体に設けられたトリガーの動作と連動し、上記調整部を非調整位置と調整位置との間で移動させる調整部移動機構を具備している。調整部移動機構は銃本体の内部に設けられ、トリガーの動作と連動させて必要な調整を行うように構成されており、これにより模擬銃の外観と切り離された調整部を実現する途を拓いている。
【００１１】
本発明の装置として、銃本体に形成された開口部が、弾丸の発射方向と平行かつ後方に位置しており、ホップ機構部の調整部は、銃本体に形成された開口部よりも前方に位置する非調整位置に配置されることで、開口部から露出せず、トリガーの動作に連動したときに開口部にかかる調整位置へ移動可能にした構成は、好ましいものである。
【００１２】
また、ホップ機構部については、弾丸に接触するとともに、弾力性を有する素材によって形成されたホップ用突部と、上記ホップ用突部に直接又は間接に作用するために、弾丸に対する接触圧力を増大する方向へ移動可能に設けられた調整量伝達部と、調整部と連繋して上記調整量伝達部の移動量を変化させるカム部とから構成することができる。
【発明の効果】
【００１３】
本発明は以上のように、調整部が開口部に露出しない非調整位置と、少なくとも一部が開口部に露出する調整位置との間にて移動可能に銃本体の内部に組み込まれており、発射される弾丸の弾道を調整可能にする調整部を有する模擬銃において、その調整部により、実銃のイメージが損なわれないように構成することができるという効果を奏する。また、本発明によれば、安全に調整操作を行うことが可能な模擬銃におけるホップ装置を提供することができる。
【発明を実施するための最良の形態】
【００１４】
以下図示の実施形態を参照して本発明をより詳細に説明する。図１は本発明に係る模擬銃におけるホップ装置１０を示すもので、モデルとした実銃は、前述したＨ＆Ｋ・ＭＰ７というドイツのヘッケラー・ウント・コッホ社製のものである。弾丸発射機構について簡単に説明すると、図２に詳細に示されているように、１１は銃本体、１２はバレル、１３はバレル後端部に設けられた装弾部、１４はノズルであり、装弾部１３に配置された弾丸Ｂに対して圧縮ガスを噴射する。従って、実施形態における模擬銃は、ブローバック式のガスガンに属する。
【００１５】
上記ノズル１４はシリンダー部１５の前部開口を構成しており、シリンダー１５のガス噴出口との間には、弾性体１６により後方へ付勢された弁体１７が組み込まれている。シリンダー１５には、ピストン１８と一体的なガイド軸１９を有する移動体２０の上記ピストン１８がバレル軸方向へ移動可能に組み込まれている。上記ガイド軸１９にはコイルばねから成る弾発手段２１が取り付けられるとともに、移動体２０と係合部２２ａによって係合する構造を有しており、銃本体１１に組み込まれたコッキングレバー２２を後方へ引く作用で、弾丸Ｂを装填するように構成されている。
【００１６】
弾丸Ｂを発射するために、トリガー２３以下の発射機構２４が設けられている。図３において、２３ａはトリガーバーであり、前部２３ｂにてトリガー２３と連繋し、後部２３ｃにてセカンドシアー２３ｄと連繋する。セカンドシアー２３ｄは銃本体１１の前後方向へ移動可能に設けられているとともに、バネ２３ｅにて後方へ付勢されており、後端部にてハンマー２３ｆと係合している。ハンマー２３ｆは、軸２３ｇに軸支されるとともに、図示しない弾性部材により、図３において右回転方向へ付勢され、上記係合から開放されるまでは図３の位置にロックされている。上記ハンマー２３ｆはノッカー２３ｈを打撃するもので、それによってバルブ加圧部材２３ｋと連動し、バルブ２４ａを加圧する構成である。
【００１７】
上記バルブ２４ａは、銃本体１１に着脱可能なマガジン４３に設けられており、常時閉方向へ付勢され、上記加圧部材２３ｆの加圧によって開弁し、マガジン４３のタンク内の圧縮ガスを、ガス通口２４ｂを通してピストンシリンダー装置に放出する。なお、弾丸Ｂは、マガジン内部の弾丸収納部４４に多数貯留可能であり、上方へばね付勢される弾丸送り部材２４ｃによって、ノズル１４の後退時にその前方に送り出される。なお、初弾装填時のコッキングレバー２２を引く操作によってノズル１４は後退するが、次弾から装填作動は自動でなされる。
【００１８】
実施形態における本発明の模擬銃では、図１等に示されているように、銃本体１１の右側面に開口部２５が配置されており、開口部２５の位置は、本発明の模擬銃における装弾部１３の後部のホップ装置１０のさらに後方に位置している。ホップ装置１０は、銃本体１１の右側面を構成する部分に設けられ、弾丸Ｂに接触するとともに、弾力性を有する素材によって形成されたホップ用突部２６と、上記ホップ用突部２６に直接又は間接に作用するために、弾丸Ｂに対してバレル中心方向へ加圧するように移動可能に設けられた、後述する調整量伝達部２７と、回転式のダイヤルから成る調整部２８と連繋して、上記調整量伝達部２７の移動量を変化させるためのカム部２９とから構成されている。
【００１９】
本実施形態では、バレル１２の後端部外周に、後方から円筒型の装弾筒３０を取り付けてあり、その内周面にホップ用突部２６が型成形により設けられている。装弾筒３０はゴム等の弾力性を有する素材から成り、装弾筒３０の内周面から内方へ突出する形状に設けられており、上記ホップ用突部２６は、バレル１２が水平の状態において上方に配置されるように設定され、装弾部１３に配置された弾丸Ｂが前方へ移動する過程で、弾丸Ｂに接触して回転を与えるものである（図４ないし図６参照）。
【００２０】
前述の調整量伝達部２７は、調整部２８の軸部２８ａの上部に一端が配置されたシーソー式のレバー３１と、レバー支軸３１ａを挟んで反対側の端部に配置された中間部材３２とから構成されている。上記レバー３１の一端部には、カム部２９と接触する接触子３１ｂが設けてあり、カム部２９の回転半径の増減にしたがってレバー３１の回転量を変化させ、レバー他端部にて中間部材３２がホップ用突部２６を押圧する度合いを変え、接触圧力、接触面積、接触面の形状等を調整するように構成されている。上記調整量伝達部２７はバレル１２及び装弾筒３０と共に一体化され、ホップ機構部３３の一部として構成されている。
【００２１】
上記調整部２８は、開口部２５に全く露出しない非調整位置Ｐ１（図１、図２、図７等参照）と、少なくとも一部が開口部２５に露出する調整位置Ｐ２との間にて移動可能に銃本体１１の内部に組み込まれている（図８参照）。この移動構成のために、バレル１２、その後部に設けた装弾筒３０及びホップ機構部３３は、銃本体１１の内部に設けられたスライド構造３４にて支持され、銃本体１１に対して前後方向へ一体として移動可能に構成されている。また、ホップ機構部３３と一体化されている部分には、バレル後部に捲装された戻しばね３５を作用させてあり、その弾発力を受けて前方へ付勢されている。
【００２２】
さらに本発明の装置は、ホップ機構部３３と関連して弾丸発射操作のために銃本体１１に設けられたトリガー２３の動作と連動し、上記調整部２８を非調整位置Ｐ１と調整位置Ｐ２との間で移動させるための調整部移動機構３６を具備している（図７参照）。調整部移動機構３６は、トリガー２３の支軸２３ａを挟んで上方の端部に形成した突起状の係合部３７と、上記トリガー２３が発射操作とは逆方向に操作されたときに、係合部３７と係合するようにホップ機構部３３の側に形成された傾斜面から成る係合相手部３８から構成されている。
【００２３】
ホップ機構部３３にはストッパー４０が支軸４０ａにより揺動可能に取り付けてあり、銃本体１１にはホップ機構部３３の後方への移動時に係合する後部突起３９が配置され、また、前方への復帰移動時に係合する前方突起４１が配置されている。後部突起３９はピストン側可動体２０がその上位を前後移動する位置にあり、上記可動体２０には凹部４２が形成されていて、揺動したストッパー４０の一部と係合し、それ以上の後方移動を停止させるようになっている。なお、装弾部１３への弾丸の供給については、ノズル１４の後退に伴って弾倉４３から装弾部１３の後方の位置に１発の弾丸Ｂを押し出し、ノズル１４の前進に伴ってその弾丸Ｂを装弾部１３へ押し込むという手順で行われる。これは周知の構成を適用することができるので、本実施形態では詳細な説明は省略する。
【００２４】
このような構成を有する本発明の模擬銃におけるホップ装置１０は、何も操作をしないときには図１に示した状態にあり、銃本体側面の開口部２５には可動体２０の一部が見えている。このとき、ホップ装置１０の調整部２８は、戻しばね３５によって前方へ付勢されており、従って、開口部２５よりも前方の位置に隠れているので、外部から見ることができない。弾丸装填操作のために、コッキングレバー２２を後方へ引くと、それと係合部２２ａで係合している可動体２０を介して、ピストン１８、ノズル１４が後退する。ここで、開口部２５には殆ど何もない状態となり、実銃と同様のリアルな外観が再現される。すなわち、図７は、調整部２８を有するホップ機構部３３が非調整位置Ｐ１にある状態を示しており、図８は調整部２８を有するホップ機構部３３が調整位置Ｐ２にある状態を示している。また、図９は図８の状態にてコッキングレバー２２を引いた状態を示す。
【００２５】
模擬銃を用いて弾丸Ｂを発射するには、トリガー２３を引く操作をする。トリガー２３を引く、その操作に連動してトリガーバー２３ａ、セカンドシアー２３ｄが前進し、各図において時計方向に付勢されたハンマー２３ｆが解放される。解放されたハンマー２３ｆはノッカー２３ｈを打撃し、バルブ加圧部材２３ｋと連動してバルブ２４ａを加圧し、装弾部１３に装填されている弾丸Ｂに対して圧縮ガスが噴射され、弾丸Ｂが発射される。装弾部１３の位置から弾丸Ｂが発射により前進し、ホップ機構部３３を通過する際にホップ用突部２６と接触することにより、ホップ機構部３３における調整度合いに応じた回転を与えられた状態となり、バレル１２を経て銃口から発射される。発射された弾丸Ｂには、上向きの回転が与えられているので、通常の放物線軌道ではなく、より直線に近い弾道を保って飛行する。
【００２６】
ノッカー２３ｈの前進に伴いノッカーロック２３ｉが移動するので、その爪部でノッカー２３ｈがロックされる（図１０Ａ）。バルブ２４ａが押し込まれ、ガスが放出されることに伴ってピストン１８が後退し、ブローバック動作が行なわれる。ここでピストン１８のテーパー状係合部１８ａとノッカーロック２３ｉが抵触し、そのロックが解除されてノッカー２３ｈが元の位置に戻り、ガスの放出が停止する。上記係合部１８ａとの抵触によりトリガーバー２３ａが押し下げられ、これによりトリガーバー２３ａとセカンドシアー２３ｄが元の位置に戻る（図１０Ｂ）。その後、弾発手段２１によりピストン１８が元の位置に戻り、それに伴いピストン１８の後端部によりハンマー２３ｆが押し下げられ、元の位置に戻る（図１０Ｃ）。
【００２７】
本発明のホップ装置１０により弾丸の弾道を調整するには、図１に示した状態においてトリガー２３を前方に向けて、押し上げるように回転させる。このトリガー２３の動作により、トリガー２３の係合部３７が傾斜面から成る係合相手部３８と係合してホップ機構部３３を後方へ移動させるので、調整部２８が調整位置Ｐ１に移動して開口部２５にあらわれる結果（図８、図１１Ｂ参照）、調整部２８を回転させてホップ量を調整することができる。この調整には、曲面のカム部２９が関与し、そこを接触子３１ｂが摺動することでなされるので、非常に微妙な調整が可能になる。なお、このときストッパー４０は、後部突起３９との係合によりその一部が凹部４２に入り込んでおり、それ以上ホップ機構部３３が後退することを防止している。
【００２８】
また、弾丸Ｂを装填するためにコッキングレバー２２を後方へ引いた状態にして、トリガー２３を前方に押し上げようとしても、ピストン側可動体２０がその上位にあるので、押し上げることができない（図９）。ゆえに、調整部２８を調整しているときに、不意にノズル１４が前進を始めるということもなく、指が挟まれる危険も回避される。トリガー２３を元に戻すことで、ストッパー４０が前方突起４１に当接し、ホップ機構部３３が非調整位置Ｐ１に復帰する。なお、図示の実施形態では説明の便宜上、マガジン４３がグリップ部に装着された状態のものも含まれているが、図３から明らかなように、図示の構造の場合、マガジン４３が装着された状態では、その弾丸供給部がホップ装置１０の後退の邪魔になる位置にあるので、調整はできないように設定されている。従って、図１１Ａはホップ装置１０が非調整位置Ｐ１にある状態を示しているが、これはマガジン４３が装着された状態であり、図１１Ｂはマガジン４３が取り外され、ホップ装置１０が調整位置Ｐ２にある状態を示している。
【図面の簡単な説明】
【００２９】
【図１】本発明に係る模擬銃におけるホップ装置の一例を示す側面説明図である。
【図２】同上における一部分を拡大して示す部分断面説明図である。
【図３】同上における弾丸発射機構の一例を示す部分断面説明図である。
【図４】同上のホップ装置の要部を示す正面図である。
【図５】同じく要部を示す部分断面図である。
【図６】同じく要部を示す側面説明図である。
【図７】同じくコッキングレバーを操作した状態を示す側面図である。
【図８】同じく模擬銃におけるホップ装置の調整状態を示す説明図である。
【図９】同じく調整中の安全装置を説明するための側面図である。
【図１０】同じく模擬銃における動作工程を示すもので、Ａは引き金を引き弾丸が発射されるまでの状態、Ｂはブローバック中の状態、Ｃは原状復帰状態を示す断面説明図である。
【図１１】本発明に係るホップ装置を適用した模擬銃を示すもので、Ａはホップ装置が非調整位置にある状態、Ｂはホップ装置が調整位置にある状態を示す外観図である。
【符号の説明】
【００３０】
１０  ホップ装置
１１  銃本体
１２  バレル
１３  装弾部
１４  ノズル
１５  シリンダー部
１６  弾性体
１７  弁体
１８  ピストン
１９  ガイド軸
２０  可動体
２１  弾発手段
２２  コッキングレバー
２３  トリガー
２４  発射機構
２５  開口部
２６  ホップ用突部
２７  調整量伝達部
２８  調整部
２９  カム部
３０  装弾筒
３１  レバー
３２  中間部材
３３  ホップ機構部
３４  スライド構造
３５  戻しばね
３６  調整部移動機構
３７  係合部
３８  係合相手部
３９  後部突起
４０  ストッパー
４１  前部突起
４２  凹部
４３  マガジン
４４  弾丸収納部
【図１】
2014077586.tif 000003
【図２】
2014077586.tif 000004
【図３】
2014077586.tif 000005
【図４】
2014077586.tif 000006
【図５】
2014077586.tif 000007
【図６】
2014077586.tif 000008
【図７】
2014077586.tif 000009
【図８】
2014077586.tif 000010
【図９】
2014077586.tif 000011
【図１０】
2014077586.tif 000012
【図１１】
2014077586.tif 000013